(57)【要約】      （修正有）【課題】操作が簡単で便利且つ安全性が高く、更に操作がバラエティーに富み且つ優雅であることで、使用者の興味が湧き、滑行がスムーズで、スピード感があり、展開と収納が任意に行なえるローラーレーサーを提供する。【解決手段】ローラーレーサーは、２個の固定された左右のキャリアバー１０後端に、自由に横に振れる後輪ユニット３０を設置し、左右後輪ユニット３０が自由に横に振れることで、両足で２個の固定された左右のキャリアバー１０に力を加えると２個の後輪３０２が左右に振れながらS字型に前進移動する。【選択図】図５
0003137573.tif 000002
【実用新案登録請求の範囲】
【請求項１】
支柱ポスト、左右キャリアバー、縦ポスト、左右後輪ユニット、左右ブレーキユニット、前輪、左右ステップを備え、前記縦ポストは自由に横に振れる状態で支柱ポストに軸接続され、支柱ポストの下端には前輪が設置され、上端にはハンドルが設置され、前記左右のキャリアバーは支柱ポストに設置され、左右ステップはそれぞれ左右のキャリアバーに設置され、左右後輪ユニットにはリアフォーク、回転軸固定パーツ及び後輪が設置されて、それぞれ左右のキャリアバー後端に設置され、左右ブレーキユニットにはそれぞれブレーキシューが設置されて、左右の後輪ユニットの後輪に対応し、ブレーキレバーからブレーキラインを介して後輪に対してブレーキ作用を行ない、前記左右のキャリアバー前端は支柱ポストに固定されており、同時に、左右後輪ユニットが自由に横に振れる形態で左右のキャリアバー後端に設置されることを特徴とするローラーレーサー。
【請求項２】
前記後輪ユニットのリアフォークの回転軸固定パーツは、斜めの状態でキャリアバー後端に軸接続されることを特徴とする請求項１に記載のローラーレーサー。
【請求項３】
前記回転軸固定パーツが斜めの状態で、キャリアバー後端に軸接続される際の角度が６０度から７０度が最良とされることを特徴とする請求項２に記載のローラーレーサー。
【請求項４】
前記支柱ポストには固定フレームが設置されて、前記左右のキャリアバー前端は軸を介して固定フレームに軸接続固定され、更に、固定パーツを介して前記固定フレームに固定されることを特徴とする請求項１に記載のローラーレーサー。
【考案の詳細な説明】
【技術分野】
【０００１】
本考案はローラーレーサーに関するものである。特に、二つの固定設置された左右のキャリアバー後端に、それぞれ自由に振れる後輪ユニットが設置され、この左右の後輪ユニットの後輪が、使用者が両足で左右のキャリアバーに力を加えることにより、自動的に左右に触れてS字型に前進する。更に、前輪、縦ポスト、ハンドルを組み合わせて、体、臀部、手、両足を交互にツイストさせたり、同時に力を加えることで、いろいろな形態によって操作可能である。本物品は、面白く、娯楽性に富んだエクササイズの実施が可能であることを特徴とするローラーレーサーである。
【背景技術】
【０００２】
従来の三角形に配置されたローラーレーサーは、その多くが図１又は図２に示すものである。図１の従来のローラーレーサーにおいては、左右のキャリアバー１０の前端には、ジョイント１１を介して支柱ポスト１が連結固定され、支柱ポスト１は縦ポスト２０にはめ込まれ、縦ポスト２０上端にはハンドル２１が設置され、下端はフロントフォーク２２を介して前輪２３が設置される。そして、左右のキャリアバー１０後端には、それぞれステップ１２及び後輪１３が設置される。使用時は、左右のステップ１２に立ち、両手でハンドル２１を持って、ハンドル２１をツイストさせたり、体をツイストさせたりすることで、縦ポスト２０を左右に振って動かす。それに伴って前輪２３が横に振れることで、S字を描いて前進し、両側の後輪１３の補助的な動きにより、車体全体が滑行することにより、運動効果を得ることができる。
【０００３】
図２の従来のローラーレーサーにおいては、左右のキャリアバー１０の前端は、軸パイプ１０１を介して内外に開閉する状態で、支柱ポスト１に軸接続される。支柱ポスト１の前端は、縦ポスト２０に軸接続されており、縦ポスト２０の上端にはハンドル２１、下端には前輪２３が設置される。そして、２個の左右のキャリアバー１０はそれぞれステップ１２が設置され、それらの後端には後輪ユニット３０が設置される。このうち、後輪ユニット３０には、後輪３０２を設置するためのリアフォーク３０１が設置される。このリアフォーク３０１の上端は、軸パイプ３０１１を介して、垂直状態で左右のキャリアバー１０の後端に軸接続される。下端は、延長板３０１２を介して、スプリング３０３によって１０を牽引し、リアフォーク３０１及び後輪３０２に随時元に戻ろうとする弾性作用を持たせる。使用時は、ステップ１２に置いた両足を同時に外側に向かって展開し、さらに、内側に向かって閉じ合わせる動作を行なうことで、左右のキャリアバー１０が内外に開閉する動作を繰り返す。後輪ユニット３０は横に振れることにより、後輪３０２をS字型に前進させる。これにより、車体の前進及び両足の運動効果が得ることができる。
【考案の開示】
【考案が解決しようとする課題】
【０００４】
しかしながら、図１の技術の場合、ローラーレーサーの移動は前輪２３の左右の振れが駆動力となっており、横に振れない両後輪１３はただ補助的に移動するのみである。前輪２３の左右に振れる動きもまた、縦パイプ２０の振れに頼っている。従って、操作の難度が高くなり、力も必要とする上、動作もスムーズに行いにくいため、使用者は挫折感を味わったり、興味が喪失したりすることが考えられる。
【０００５】
また、図２の技術の場合、両足でステップ１２を操作する際の閉じる際(図３、図４に示す)に、軸接続されるリアフォーク３０１の軸パイプ３０１１が垂直状に設置されるため、自動的に元に戻ることができず、後輪ユニット３０の横に振れる動作と組み合わせて、スプリング３０３の助けを借りて強制的に元に戻している。これは、両足が同時に外側に展開する動作と、内側に閉じる動作によって、左右のキャリアバー１０を外と内に開閉させて、車体を移動させる方式を採用している。この方法は、図１に示したキャリアバー及び２個の後輪がいずれも固定した状態で横に振れないという欠点を改善しているものの、左右のキャリアバー１０が、両足によって常に調和の取れない開閉運動を行なわなければ車体を駆動して移動させることができない。従って、操作の際に、力の入れ具合が難しく、動作が行ないにくい上、姿勢も不恰好であり、車体が曲がる際に両足が大きく開きすぎて危険である。特に、スプリング３０３が、後輪ユニット３０を強制的に元に戻す作用は、後輪３０２の駆動力を阻止して、車体の滑行速度やスムーズ性に悪影響を与える。これらを踏まえて本考案は、従来の技術における問題を解決し、操作しやすいローラーレーサーを提供することを課題している。
【課題を解決するための手段】
【０００６】
請求項１に記載の考案は、支柱ポスト、左右キャリアバー、縦ポスト、左右後輪ユニット、左右ブレーキユニット、前輪、左右ステップを備え、前記縦ポストは自由に横に振れる状態で支柱ポストに軸接続され、支柱ポストの下端には前輪が設置され、上端にはハンドルが設置され、前記左右のキャリアバーは支柱ポストに設置され、左右ステップはそれぞれ左右のキャリアバーに設置され、左右後輪ユニットにはリアフォーク、回転軸固定パーツ及び後輪が設置されて、それぞれ左右のキャリアバー後端に設置され、左右ブレーキユニットにはそれぞれブレーキシューが設置されて、左右の後輪ユニットの後輪に対応し、ブレーキレバーからブレーキラインを介して後輪に対してブレーキ作用を行ない、前記左右のキャリアバー前端は支柱ポストに固定されており、同時に、左右後輪ユニットが自由に横に振れる形態で左右のキャリアバー後端に設置されることを特徴とするローラーレーサーである。
【０００７】
請求項２に記載の考案は、前記後輪ユニットのリアフォークの回転軸固定パーツは、斜めの状態でキャリアバー後端に軸接続されることを特徴とする請求項１に記載のローラーレーサー。
【０００８】
請求項３に記載の考案は、前記回転軸固定パーツが斜めの状態で、キャリアバー後端に軸接続される際の角度が６０度から７０度が最良とされることを特徴とする請求項２に記載のローラーレーサーである。
【０００９】
請求項４に記載の考案は、前記支柱ポストには固定フレームが設置されて、前記左右のキャリアバー前端は軸を介して固定フレームに軸接続固定され、更に、固定パーツを介して前記固定フレームに固定されることを特徴とする請求項１に記載のローラーレーサーである。
【００１０】
上記課題を解決するために、本考案のローラーレーサーは、２個の固定された左右のキャリアバー後端に、それぞれ自由に横に振れる後輪ユニットが設置される。左右後輪ユニットが自由に横に振れることにより、２個の後輪が左右に振られ、両足が２個の固定された左右のキャリアバーに力を加えると、連帯して力を受ける２個の後輪が左右に振れる際にS字型に前進移動する。体、臀部、手をツイストさせ、両足で交互に或いは同時に力を入れて車体を駆動させる。これにより本考案は、ローラーレーサーの操作をシンプルにし、その操作に面白みと娯楽性をもたせることができた。
【考案の効果】
【００１１】
本考案のローラーレーサーは、２個の固定された左右のキャリアバーの前端を固定し、後端に自由に横に振れる後輪ユニットを設置し、両足で左右のキャリアバーのステップに力を加えると、それに伴って力を受ける２個の後輪が左右に振れ、S字型に前進移動をする。そして、本物品に前輪及び縦ポスト、ハンドルを組み合わせて使用する。
【００１２】
体、臀部、手をツイストさせ、両足で交互に或いは同時に力を入れると車体が駆動する。これにより本考案は、ローラーレーサーの操作をシンプルにし、面白みと娯楽性をもたせることができた。また、本考案のローラーレーサーは、２個の左右のキャリアバー後端の後輪ユニットが、両足が力を入れる方向に対応して、自動的に横に振れて元の位置に戻るため、２個の後輪の移動はスムーズえあり、車体の滑行もスムーズもになるという効果を有する。
【００１３】
即ち、本考案は以下の特徴ある効果或いは長所を有する。 １．操作が簡単で、便利であり、安全性が高い。２．バラエティーに富み、優雅な操作形態を提供し、使用者の興味を引き出して、無意識のうちに所定の運動効果が得られる。３．ローラーレーサーの滑行がスムーズであり、スピード感があるため、面白みと娯楽性が増す。４．随時、展開と収納が行なえるため、便利に使用でき、収納にも場所を取らない。
【考案を実施するための最良の形態】
【００１４】
図５、図６を参照しながら説明する。本考案のローラーレーサーは、支柱ポスト１、左右のキャリアバー１０、縦ポスト２０、後輪ユニット３０、左右ブレーキユニット４０、前輪２３、左右のステップ１２を備えている。
【００１５】
このうち、従来の技術と同様に、縦ポスト２０は自由に横に振れる状態で、支柱ポスト１に軸接続され、上端はハンドル２１が設置され、下端は前輪２３が設置される。左右ステップ１２は、それぞれ左右のキャリアバー１０に設置される。左右ブレーキユニット４０には、それぞれブレーキシュー４０１が設置され、  ２個の後輪ユニット３０の後輪３０２に対応し、ブレーキレバー４０３からブレーキライン４０２を介して後輪３０２にブレーキ作用を行なう。
【００１６】
本考案の改良点は以下の通りである。左右のキャリアバー１０の前端は、支柱ポスト１に固定され、後輪ユニット３０が自由に横に振れる形態で、左右のキャリアバー１０後端に設置される。車体を開閉させるために、左右のキャリアバー１０の前端は、軸１０３及び固定パーツ１０４が支柱ポスト１の固定フレーム１５（図７に示す）に軸接続される。更に、固定パーツ１０４が緩く接続されることで、左右のキャリアバー１０が支柱ポスト１の固定フレーム１５に固定されないため、図８に示したように、支柱ポスト１の固定フレーム１５及び支柱ポスト１、縦ポスト２０は、軸１０３が軸点で開閉する。そして、展開後の支柱ポスト１は、固定パーツ１０４を介して左右のキャリアバー１０及び支柱ポストの固定フレーム１５に固定されて安定した定位効果をもたらす。
【００１７】
図９に図示するように、後輪ユニット３０のリアフォーク３０１の回転軸固定パーツ３０１４は、斜めの状態で、左右のキャリアバー１０後端に軸接続される。これにより、両足がステップ１２を踏むと、下方に向かって左右のキャリアバー１０に力を加え、リアフォーク３０１の回転軸固定パーツ３０１４を介して、リアフォーク３０１が後輪３０２に圧力を加える。そうすると、後輪３０２の上に向かって働く反作用と、回転軸固定パーツ３０１４が斜めの位置に設置されることにより、自動的に後輪３０２の輪面が前に向くように方向が修正され、後輪３０２を常にスムーズに回転させる。
【００１８】
この後輪３０２が最もスムーズに、自動的に方向を修正する効果を有する、リアフォーク３０１の回転軸固定パーツ３０１４が左右のキャリアバー１０に斜めに設置される際の角度θは、６５度から７０度が最良である。
【００１９】
図１０、図１１、図１２に図示したように、左右のキャリアバー１０の前端は、支柱ポスト１に固定され、縦ポスト２０の下端の前輪２３に設置される。更に、それぞれ左右のキャリアバー１０の２個の後輪ユニット３０が三角形の形態で車体を支えているため、車体は左右に振れて揺れる。そして、２個の後輪ユニット３０は、自動的に方向修正しながら自由に横に振れる動作を行なう。両足が左右のキャリアバー１０のステップ１２を踏み、両手が縦ポスト２０のハンドル２１を握って、両足で交互或いは同時にステップ１２に力を加えることで、左右のキャリアバー１０及び縦ポスト２０、ハンドル２１が左右に振れ、左右２個の後輪ユニット３０も左右に振れるS字型の経路を描いて移動して車体全体が滑行する。即ち、左右のキャリアバー１０を操作して、左右に振らせ或いは揺らせて、２個の後輪ユニット３０の後輪３０２も共に左右に振ってS字型に移動する。
【００２０】
使用者は両手でハンドル２１を握ることで、スケートのように両足を交互に或いは同時に力を加えるか、左右に揺れて臀部、腰等の体を横に振ることで横に振る運動形態を生じさせ、簡易且つ安全に左右に後輪ユニット３０が移動し、ローラーレーサーはスムーズに前進移動する。従って、使用者はローラーレーサーがスムーズに滑行するスピード感が味わえるだけでなく、簡単且つ安全な操作で全身運動の目的も達成できる。当然、本考案のローラーレーサーの操作は簡単且つ多くのバラエティーに富み、スムーズ性や優雅さを有する操作形態も可能であり、実施上、さらに興味と娯楽性を増すことができ、同時に所定の運動効果も得られる。
【００２１】
また、上述の後輪ユニット３０が、両足が力を入れる方向に対応して自動的に横に振れ、後輪３０２の面が常に自動的に方向修正を行ってS字型の元の位置に戻るため、２個の後輪３０２は前進移動の抵抗が減少し、車体全体の滑行がスムーズに行われる。
【図面の簡単な説明】
【００２２】
【図１】従来のローラーレーサーを示した立体図である。
【図２】従来のローラーレーサーを示した立体図である。
【図３】図２の使用状態を示した図である。
【図４】図２の使用状態を示した図である。
【図５】本考案のローラーレーサーを示した立体図である。
【図６】図５の俯瞰図である。
【図７】本考案のキャリアバーを支柱ポストの固定フレームに結合させた状態を示した俯瞰図である。
【図８】本考案の展開及び折りたたんだ状態を示した図である。
【図９】本考案の後輪ユニットをキャリアバーの後端に設置した状態を示した図である。
【図１０】本考案が滑行前進する状態を示した図である。
【図１１】本考案が滑行して曲折及び前進する使用状態を示した図（一）である。
【図１２】本考案が滑行して曲折及び前進する使用状態を示した図（二）である。
【符号の説明】
【００２３】
91     支柱ポスト
910     左右のキャリアバー
9101     軸パイプ
911     ジョイント
912      ステップ
913      後輪
920     縦ポスト
921     ハンドル
922     フロントフォーク
923      前輪
930      後輪ユニット
9301     リアフォーク 
93011    軸パイプ
93012     延長板
9302      後輪
9303      スプリング
1        支柱ポスト
10        左右キャリアバー
103       軸
104        固定パーツ
12         ステップ
15        固定フレーム
20        縦ポスト
21       ハンドル
23        前輪
30        後輪ユニット
301       リアフォーク
3014       回転軸固定パーツ 
302        後輪
40          左右ブレーキユニット
401        ブレーキシュー
402        ブレーキライン
403        ブレーキレバー
【図１】
0003137573.tif 000003
【図２】
0003137573.tif 000004
【図３】
0003137573.tif 000005
【図４】
0003137573.tif 000006
【図５】
0003137573.tif 000007
【図６】
0003137573.tif 000008
【図７】
0003137573.tif 000009
【図８】
0003137573.tif 000010
【図９】
0003137573.tif 000011
【図１０】
0003137573.tif 000012
【図１１】
0003137573.tif 000013
【図１２】
0003137573.tif 000014